(57)【要約】      （修正有）【課題】表示パネルを振動させて音響を発生させる形態の表示装置を提供する。【解決手段】映像を表示するように構成される表示パネル１００と、複数の音響出力領域内の、表示パネル１００を直接振動させて音響を発生させる複数の音響発生アクチュエータ２００、２００’と、複数の音響出力領域の少なくとも１つを囲む隔壁部４００を有する。【選択図】図２ａ
2018093468.tif 000002
【特許請求の範囲】
【請求項１】
映像を表示するように構成される表示パネルと、
複数の音響出力領域内の、前記表示パネルを振動させて音響を発生させるように構成される複数の音響発生アクチュエータと、
前記複数の音響出力領域の各々の間の、前記複数の音響出力領域のうちの少なくとも１つを囲む隔壁部と、
を含む、表示装置。
【請求項２】
前記複数の音響発生アクチュエータはそれぞれ、前記表示装置内で相異する音響を出力する、請求項１に記載の表示装置。
【請求項３】
前記表示パネルを支持するように構成される後面支持部をさらに含む、請求項１に記載の表示装置。
【請求項４】
前記隔壁部は前記音響出力領域の各々に空間を画定するために前記表示パネルと前記後面支持部に接触する、請求項３に記載の表示装置。
【請求項５】
前記隔壁部は、前記複数の音響出力領域の各々の間の音響を分離する、請求項１に記載の表示装置。
【請求項６】
前記隔壁部は、前記複数の音響出力領域の各々を囲む、請求項１に記載の表示装置。
【請求項７】
前記隔壁部は、前記複数の音響出力領域の各々を囲む４個の辺で構成され、前記隔壁部の前記４個の辺のうちの１つ以上である第１辺は、対応する前記音響出力領域内の前記音響出力アクチュエータ方向に折り曲げられる折曲部を含む、請求項１に記載の表示装置。
【請求項８】
前記折曲部の先端（vertex）は、前記音響発生アクチュエータの中心に向けられる、請求項７に記載の表示装置。
【請求項９】
前記第１辺に対して垂直に配置される第２辺は、対応する前記音響出力領域内の前記音響出力アクチュエータ方向に突出する突出拘束部をさらに含む、請求項７に記載の表示装置。
【請求項１０】
前記音響発生アクチュエータにより発生する音波が非対称放射特性を有し、前記第１辺は前記音響発生アクチュエータにより発生した音波のうち、平均音波より強い音波が向かう１つまたは２つの辺である、請求項９に記載の表示装置。
【請求項１１】
前記音響発生アクチュエータは対応する前記音響出力領域内の非対称位置にあり、前記第２辺は前記４個の辺のうち、前記音響出力アクチュエータに最も近い１つの辺である、請求項９に記載の表示装置。
【請求項１２】
前記第２辺上にあり、かつ、互いに離隔する２つの突出拘束部をさらに含む、請求項１１に記載の表示装置。
【請求項１３】
前記音響出力領域は、ステレオ音響を出力するための第１領域及び第２領域を含む、請求項１に記載の表示装置。
【請求項１４】
前記音響出力領域は、中高音域帯音響のうちの少なくとも１つを出力するための第１領域及び第２領域を含み、
前記音響出力領域は、低音域帯音響を出力するための前記第１領域及び第２領域の間の第３領域を含む、請求項１に記載の表示装置。
【請求項１５】
前記第３領域は、前記第１領域または第２領域より大きさが大きい、請求項１４に記載の表示装置。
【請求項１６】
前記第３領域を画定する前記隔壁部の４個の辺のうちの１つ以上の第１辺には前記第３領域内のアクチュエータ方向に折り曲げられる折曲部があり、前記第１辺に対して垂直な第２辺のうちの１つ以上には前記アクチュエータ方向に突出する突出拘束部がある、請求項１５に記載の表示装置。
【請求項１７】
前記第１領域または前記第２領域を画定する隔壁部の４個の辺のうち、前記第３領域の前記隔壁部と共有された辺を除外した３個の辺のうちの少なくとも１つには前記第１領域または第２領域内のアクチュエータ方向に折り曲げられた折曲部がある、請求項１６に記載の表示装置。
【請求項１８】
前記隔壁部は、前記後面支持部の上面と前記表示パネルの下面のうちの１つまたは両方に接着される接着部材と、前記後面支持部の前記上面及び前記表示パネルの前記下面の間にあるシーリング部を含む、請求項３に記載の表示装置。
【請求項１９】
前記音響発生アクチュエータは、
下部プレートと、
前記下部プレート上のマグネットと、
前記下部プレートの中央にあるセンターポールと、
前記センターポールを囲むボビンと、
前記ボビンの周囲に巻き付けられたコイルと、
を含む、請求項１に記載の表示装置。
【請求項２０】
映像を表示するように構成される表示パネルと、
隔壁部により分離される前記表示パネル後方の複数の領域と、
前記複数の領域内の、前記表示パネルを振動させて音響を発生させるように構成される複数の音響発生アクチュエータと、を含み、
前記領域のうち、少なくとも１つは２つ以上の音響発生アクチュエータを含む、表示装置。
【請求項２１】
映像を表示するように構成される表示パネルと、
隔壁部により分離される前記表示パネルの後方の複数の領域と、
前記複数の領域のうち第１領域内の、前記表示パネルを振動させて音響を発生させるように構成される第１音響発生アクチュエータと、を含み、
前記複数の領域のうち、第２領域は音響発生アクチュエータを含まない、装置。
【請求項２２】
前記複数の領域のうち第３領域内の、前記表示パネルを振動させて音響を発生するように構成される第２音響発生アクチュエータをさらに含む、請求項２１に記載の装置。
【請求項２３】
前記第２領域は、前記第１領域及び第３領域の間にある、請求項２２に記載の装置。
【請求項２４】
前記第１領域及び第３領域のうちの少なくとも１つは、前記表示パネルを振動させて音響を発生するように構成される２つ以上の音響発生アクチュエータを含む、請求項２３に記載の装置。
【請求項２５】
前記隔壁部は、前記２つ以上の音響発生アクチュエータの間の中心点に向かうように折り曲げられる折曲部がある第１辺を含む、請求項２４に記載の装置。
【請求項２６】
前記表示パネルの後方の後面支持部をさらに含み、前記表示パネルと前記後面支持部との間の前記隔壁部が前記複数の領域を画定する、請求項２１に記載の装置。
【請求項２７】
前記隔壁部は、音響発生アクチュエータ方向に折り曲げられる折曲部を有する第１辺と前記音響発生アクチュエータ方向に突出する突出拘束部を有する第２辺のうち、少なくとも１つを含む、請求項２１に記載の装置。
【請求項２８】
前記隔壁部は前記第１辺と前記第２辺の両方を含み、前記第１辺は前記第２辺に対して垂直である、請求項２７に記載の装置。
【請求項２９】
前記隔壁部は前記第２辺を含み、前記第２辺は互いに離隔する２つの突出拘束部を含む、請求項２７に記載の装置。
【発明の詳細な説明】
【技術分野】
【０００１】
本開示は表示装置に関し、より詳しくは、表示パネルを振動させて音響を発生させる形態の表示装置に関する。
【背景技術】
【０００２】
移動通信端末機、ノートブックコンピュータのような各種の携帯用電子機器が発展するにつれて、これに適用できる表示装置に対する要求が増大している。
【０００３】
表示装置には、液晶表示装置（Liquid Crystal Display Device）、発光ダイオード表示装置（Light Emitting Diode Display Device）、有機発光ダイオード表示装置（Organic Light Emitting Diode Display Device）などが研究されている。
【０００４】
このような表示装置のうち、液晶表示装置（ＬＣＤ）は、薄膜トランジスタを含むアレイ基板と、カラーフィルタ及び／又はブラックマトリックスなどを備えた上部基板と、その間に形成される液晶物質層を含んで構成され、画素領域の両電極の間に印加される電界によって液晶層の配列状態が調節され、それによって光の透過度が調節されて画像が表示される装置である。
【０００５】
加えて、有機発光表示装置は、自ら発光する有機発光ダイオード（ＯＬＥＤ：Organic Light Emitting Diode）を用いており、応答速度が速く、発光効率、輝度、及び視野角などが大きいという長所がある。
【０００６】
一方、このような表示装置を含む完成品概念のセット装置があり、このようなセット装置の例には、ＴＶ、コンピュータモニター、広告看板などがありうる。
【０００７】
このような表示装置またはセット装置には、表示される映像と関連した音響を発生させて出力するためのスピーカーのような音響出力装置が含まれる。
【０００８】
一般に、液晶表示装置または有機発光ダイオード表示装置などの表示装置生産業体は表示パネルまたは表示装置のみを生産し、スピーカーを生産する別途の業体で完成された表示装置にスピーカーを組み立てる方式により最終的に映像及び音が出力されるセット装置を具現していた。
【０００９】
図１は、従来の表示装置に含まれたスピーカーに対する概略的な平面図である。
【００１０】
図１に示すように、従来の表示装置１またはセット装置において、スピーカー２は表示パネルの後面または下端部に備えられている。
【００１１】
この場合、スピーカー２を通じて発生した音は、表示装置１の前方で映像を視聴する視聴者方向に音が直接進行せず、映像が表示される表示パネルの前面よりもむしろ後面または表示パネルの下方に進行する。
【００１２】
また、スピーカー２を通じて発生した音が表示パネルの後面または表示パネルの下方に進行する場合には、壁または底で反射される音との干渉によって音質が落ちるという問題があった。
【００１３】
また、従来の表示装置に含まれるスピーカーは発生した音響の進行方向が表示装置の観察者方向でない方に向かうようになって、音響の回折現象などにより音の定位感が落ちるだけでなく、ＴＶなどのセット装置を構成するに当たって、スピーカーが一定の空間を占めるようになるので、セット装置のデザイン及び空間配置上に一定の制約になる。
【００１４】
一方、最近、表示パネルまたは表示パネルに付着される振動板をアクチュエータで振動させて音響を出力する技術が提示されているが、このような音響出力方式には表示パネル全体を振動させて１種類の音響のみを出力することに制限されている。
【００１５】
したがって、表示装置で多様な種類の音響を同時に出力しながらも、出力される音の音質を改善し、視聴者の没入を妨害しない技術に対する必要性が増加している。
【発明の概要】
【発明が解決しようとする課題】
【００１６】
したがって、本開示の実施例は、前記関連技術の限界及び不利な点による１以上の問題を実質的に取り除くことを目指している。
【００１７】
本開示の一形態は、表示装置を構成する表示パネルを直接振動させて音響を発生させる表示装置を提供する。
【００１８】
本開示の他の形態は、反射波と進行波の干渉によって発生する定在波による音圧減少現象が抑制できるパネル振動型音響発生表示装置を提供する。
【００１９】
本開示の他の形態は、複数の音響出力領域として、左右ステレオ音響を出力するための左側領域及び右側領域を含む２チャンネル方式と、それに加えて低音を出力するための中央領域をさらに含む２．１チャンネル方式のうちの１つを選択し、優れる音分離特性を有しながらも定在波による音圧減少を減少させることのできるパネル振動型音響発生表示装置を提供する。
【００２０】
本開示の追加的な特徴及び有利な点は、以下に詳述され、部分的にその説明から明らかになるか、本開示の実例から習得されるだろう。本開示の目的及び他の有利な点は、添付図面と同様に、記述された詳細な説明及び本願請求項において特に指摘された構造により理解され、知得されるだろう。
【課題を解決するための手段】
【００２１】
例示されかつ広範に記述されるように、本発明の概念の前記及び他の形態を達成するために、表示装置は、映像を表示するように構成される表示パネルと、複数の音響出力領域にあり、表示パネルを振動させて音響を発生させるように構成される複数の音響発生アクチュエータと、複数の音響出力領域の各々の間にあり、かつ、前記複数の音響出力領域のうち少なくとも１つを囲む隔壁部を含んでもよい。
【００２２】
さらに、表示装置は、映像を表示するように構成される表示パネルと、前記表示パネルの後ろにあり、かつ、隔壁部により分離される複数の領域と、前記複数の領域にあり、表示パネルを振動させて音響を発生させるように構成される複数の音響発生アクチュエータとを含み、前記領域のうち少なくとも１つは２以上の前記音響発生アクチュエータを含むような表示装置でもよい。
【００２３】
さらに、表示装置は、映像を表示するように構成される表示パネルと、前記表示パネルの後ろにあり、かつ、隔壁部により分離される複数の領域と、前記複数の領域のうち第１の領域にあり、表示パネルを振動させて音響を発生させるように構成される第１の音響発生アクチュエータとを含み、前記領域のうち第２の領域は前記音響発生アクチュエータを含まないような表示装置でもよい。
【００２４】
さらに、機器は、映像を表示するように構成される表示パネルと、前記表示パネルの後ろにあり、かつ、隔壁部により分離される複数の領域と、前記複数の領域のうち第１の領域にあり、表示パネルを振動させて音響を発生させるように構成される第１の音響発生アクチュエータとを含み、前記領域のうち第２の領域は前記音響発生アクチュエータを含まないような機器でもよい。
【００２５】
前述の一般的な記述と以下の詳細な記述はともに典型的かつ説明的なものであり、特許を請求する本開示の更なる説明を提供することを意図していると理解されるべきである。
【００２６】
添付する図面は、本開示のさらなる理解を提供するために添付され、本出願の一部を構成し、かつ、組み込まれるが、本開示の実施例を図解しており、詳細な説明と共に様々な原理を説明するのに役立つ。
【図面の簡単な説明】
【００２７】
【図１】従来の表示装置に含まれたスピーカーに対する概略的な平面図である。
【図２】本発明の実施形態に従うパネル振動型音響発生装置を含む表示装置の概略図であって、図２ａは平面図、図２ｂは断面図である。
【図３】図３ａ及び図３ｂは、音分離隔壁部が直線である例における、定在波による音圧減少現象を説明するための図である。
【図４】図４ａ及び図４ｂは、本実施形態により音分離隔壁部を構成する１つの辺以上に折曲部を形成する例における、音響出力特性を説明する図である。
【図５】図５ａ及び図５ｂは、本実施形態に使用できる２つタイプの音響発生アクチュエータの断面図である。
【図６】図６ａ及び図６ｂは、本発明の実施形態による音響発生アクチュエータが表示パネルを振動させて音響を発生する原理を図示する。
【図７】図７ａ及び図７ｂは、本発明の実施形態による音響発生アクチュエータと表示装置の後面支持部であるカバーボトムとの結合状態の一例を図示する。
【図８】図８ａ及び図８ｂは、音響発生アクチュエータとカバーボトムとの結合構造に対する他の実施形態を図示する。
【図９】本実施形態に使われる音分離隔壁部の細部構造を図示する。
【図１０】音響出力領域が左側領域及び右側領域を含む２チャンネル方式で、各領域の形態と音響発生アクチュエータの位置及び形態に従う折曲部及び追加拘束部の配置形態を多様に示す図である。
【図１１】図１１ａ〜１１ｃは、音響出力領域が左側領域及び右側領域を含む２チャンネル方式で、各領域の形態と音響発生アクチュエータの位置及び形態に従う折曲部及び追加拘束部の配置形態を多様に示す図である。
【図１２】本実施形態による折曲部を含む音分離隔壁部の第１辺の傾斜角度と、追加拘束部材の位置及び長さの関係を図示する。
【図１３】音響出力領域が左右で中高音を出力するための左側領域及び右側領域と、低音を出力するための中央領域を含む２．１チャンネル方式で、各領域の形態と音響発生アクチュエータの位置及び形態に従う折曲部及び追加拘束部の配置形態を多様に示す図である。
【図１４】音響出力領域が左右で中高音を出力するための左側領域及び右側領域と、低音を出力するための中央領域を含む２．１チャンネル方式で、各領域の形態と音響発生アクチュエータの位置及び形態に従う折曲部及び追加拘束部の配置形態を多様に示す図である。
【発明を実施するための形態】
【００２８】
以下、本開示の一部の実施形態を例示的な図面を通じて詳細に説明する。各図面の構成要素に参照符号を付加するに当たって、同一な構成要素に対しては、たとえ他の図面上に表示されても、同一の符号が付加されるだろう。また、本開示の説明の中で、一定の構成または機能の詳細な説明は、簡潔にするために省略する。
【００２９】
また、本発明の構成要素を説明するに当たって、第１、第２、Ａ、Ｂ、（ａ）、（ｂ）などの用語を使用することができる。このような用語は単にその構成要素を他の構成要素と区別するためのものであり、その用語により当該構成要素の本質、順序または手順を限定するものではない。ある構成要素が他の構成要素に“連結”、“結合”、または“接続”されると記載された場合、その構成要素は該他の構成要素に直接的に連結または接続できるのと同様に、他の構成要素が各構成要素と“連結”、“結合”、または“接続”されることもできると理解されるべきである。
【００３０】
本明細書で、“表示装置”という用語は、表示パネルと表示パネルを駆動するための駆動部を含む液晶モジュール（Liquid Crystal Module；ＬＣＭ）、有機発光表示モジュール（OLED Module）のような狭義の表示装置は勿論、ラップトップコンピュータ、ＴＶセット、コンピュータモニター、設備ディスプレイ（例えば、自動車ディスプレイやその他の種類の運搬具のディスプレイ）、または完成品もしくは最終製品であるモバイル電子装置（例えば、スマートフォンや電子パッドなど）のようななどの、ＬＣＭ、ＯＬＥＤモジュールなどを含む完成品としての電子装置やセット装置、セット機器までも含む概念として使用する。
【００３１】
即ち、表示装置は、ＬＣＭ、ＯＬＥＤモジュールのようなディスプレイ装置自体だけでなく、ディスプレイ装置をその中に実装する応用製品または最終的な消費者向け装置である、いわゆるセット装置まで含む意味として使用する。
【００３２】
但し、場合によっては、表示パネルとその駆動部などで構成されるＬＣＭ、ＯＬＥＤモジュールを狭義の“表示装置”と表現し、そのようなＬＣＭ、ＯＬＥＤモジュールを含む完成品としての電子装置を“セット装置”または“セット機器”に区別して表現することもできる。例えば、狭義の表示装置は液晶（ＬＣＤ）または有機発光（ＯＬＥＤ）表示パネルとそれを駆動するための制御部であるソースＰＣＢを含み、セット装置はソースＰＣＢに電気的に連結されてセット装置の全体を制御するセット制御部であるセットＰＣＢをさらに含む概念でありうる。
【００３３】
本実施形態に使われる表示パネルは、液晶表示パネル、有機発光ダイオード（ＯＬＥＤ：Organic Light Emitting Diode）表示パネル、プラズマ表示パネル（ＰＤＰ：Plasma Display Panel）のような全ての形態の表示パネルが使われることができ、音響発生アクチュエータにより振動されることによって、音波または聴取可能な出力を発生できる限り、特定の表示パネルに限定されるものではない。
【００３４】
例えば、表示パネルが液晶表示パネルの場合には、多数のゲートライン及びデータライン、その交差領域に定義されるピクセル（Pixel）、並びに各ピクセルでの光透過度を調節するためのスイッチング素子である薄膜トランジスタを含むアレイ基板と、カラーフィルタ及び／又はブラックマトリックスなどを備えた上部基板と、その間に形成される液晶物質層とを含んで構成できる。
【００３５】
また、表示パネルが有機発光ダイオード（ＯＬＥＤ）表示パネルの場合には、多数のゲートライン及びデータライン、その交差領域に定義されるピクセル（Pixel）、並びに各ピクセルに選択的に電圧を印加するための素子である薄膜トランジスタを含むアレイ基板と、アレイ基板上の有機発光ダイオード（ＯＬＥＤ）層、及び有機発光ダイオード層を覆うようにアレイ基板上に配置される封止基板とを含んで構成できる。封止基板は外部の衝撃から前記薄膜トランジスタ及び有機発光ダイオード層などを保護し、前記有機発光ダイオード層への水分の侵入を防止する。アレイ基板上の層は、出力画像品質を高めることのできる、例えば、非有機発光層、量子ドット層、ナノサイズ材料層等を含んでもよい。
【００３６】
いかなるディスプレイの種類であっても、表示パネルはさらに、それに接着される金属板のような裏張り（ｂａｃｋｉｎｇ）を含んでもよい。他の構造もまた含まれ得る。
【００３７】
本明細書で詳述されるようなアクチュエータを有する表示パネルは、自動車の中央コントロールパネルといった、乗り物のユーザーインターフェースに実装されてもよい。例えば、このような表示パネルは、表示パネルの振動による音が乗り物内部に向かって広がるように、２つのフロントシートの間に構成することができる。こうして、乗り物の内部にだけスピーカーを持つことと比べたときに、乗り物内部の音響体験を改善することができる。
【００３８】
詳述される実施例による表示装置において用いられる表示パネルは、特定の種類、大きさ、形状等に限定されない。ＬＣＤパネルは、任意の数の積層されたレイヤを含むことができ、例えばバックライトのため、分離された光源を含むことができる。
【００３９】
一方、有機発光ダイオード（ＯＬＥＤ）表示パネルの有機発光ダイオードは、自己発光素子であるので、分離された光源は必要でなくてもよく、偏光レイヤ（ＰＯＬ）、ガラスレイヤ、エンカプセレーションレイヤ（Ｅｎｃａｐ．）などの種々のレイヤが１つのパネルに積層され得る。
【００４０】
一方、本実施形態による表示装置に使われる表示パネルは一般的な構造を有するので、表示パネルに対するより具体的な説明は省略する。
【００４１】
図２は本実施形態に係るパネル振動型音響発生装置を含む表示装置の概略図であって、図２ａは平面図、図２ｂはＩ−Ｉ’線に沿った断面図である。
【００４２】
図２に示すように、本実施形態による表示装置は、映像を表示する表示パネル１００と、その表示パネルの一面に接触して表示パネルを振動させて音響を発生させる２つ以上の音響発生アクチュエータ２００、２００’と、音響発生アクチュエータ２００、２００’及び表示パネル１００を支持しながら表示パネルの後面をカバーする後面支持部であるカバーボトム３００を含んで構成される。
【００４３】
一方、本実施形態によれば、表示パネル１００範囲内には各々相異する音響を出力する複数の音響出力領域が定義され、各音響発生アクチュエータは、対応する領域内の表示パネル部分を振動させて音響を発生させるために、各音響出力領域毎に１つずつ配置される。
【００４４】
この際、各音響出力領域を囲み、かつ表示パネル１００と後面支持部であるカバーボトム３００に接触して配置されて各音響出力領域の内部にエアーギャップ空間を定義する音分離隔壁部４００をさらに含むことができる。
【００４５】
一方、本発明は多数の音響出力領域として、左右ステレオ音響を出力するための左側領域及び右側領域を含む２チャンネル方式及びそれに加えて低音を出力するための中央領域をさらに含む２．１チャンネル方式に全て適用されることができ、図２ａでは、そのうち、左側領域及び右側領域のみを含む２チャンネル方式について説明する。
【００４６】
即ち、図２ａによれば、音響出力領域として、ステレオ音響を出力するために表示パネル１００の左側及び右側に形成される左側領域（Ｌ）及び右側領域（Ｒ）を含み、左側領域のための音分離隔壁部４００は左側領域（Ｌ）を囲む４個の辺４１０、４１０’、４２０、４２０’を含む。
【００４７】
一方、音分離隔壁部４００は表示パネル１００と後面支持部であるカバーボトム３００との間に配置される隔壁構造物であって、両面テープなどの部材が使用できる。
【００４８】
図２ｂに示すように、音分離隔壁部４００は対応する音響出力領域を囲むように配置される一定の幅を有する接着部材であって、その一面は表示パネル１００が底面に付着され、他面はカバーボトム３００の上面に接着されることによって、対応する音響出力領域の内部に封入されたエアーギャップ空間を形成する。
【００４９】
一方、左側領域（Ｌ）の内部には左側アクチュエータ２００が配置され、右側領域（Ｒ）の内部には右側アクチュエータ２００’が配置され、各アクチュエータ２００、２００’は後面支持部であるカバーボトム３００に形成された支持孔に挿入して固定できる。
【００５０】
左側アクチュエータ２００は左側領域に対応する表示パネルの底面に接触し、提供される電流信号によって表示パネルを振動させて左側音響を発生し、同様に右側アクチュエータ２００’は右側領域に対応する表示パネルの底面に接触して右側領域の表示パネルを振動させて右側音響を発生する。
【００５１】
アクチュエータの形態と、アクチュエータが表示パネルを振動させて音響を発生する原理の例は、以下の図５ａ〜図６ｂを参考しつつより詳細に説明する。
【００５２】
一方、左側領域（Ｌ）及び右側領域（Ｒ）の内部には各々、音分離隔壁部の４個の辺、表示パネル１００の上面及びカバーボトム３００の下面により第１エアーギャップ空間７００（ＡＧ＿Ｌ）及び第２エアーギャップ空間７００’（ＡＧ＿Ｒ）が形成される。
【００５３】
エアーギャップ空間７００、７００’は、左／右側アクチュエータ２００、２００’により表示パネル１００が振動する時に発生する音響を閉じ込める密閉空間として機能し、エアーギャップ空間７００、７００’は音圧を増加させて、音響を前方に出力する。
【００５４】
一方、各音響出力領域のための音分離隔壁部４００は、対応する音響出力領域を囲む４個の辺で構成され、音分離隔壁部４００の４個の辺のうちの少なくとも１つ（例えば、第１辺）には該当領域内に配置される音響出力アクチュエータ方向に折り曲げられる折曲部を含むことができる。
【００５５】
即ち、図２ａに示すように、左側領域（Ｌ）を囲む音分離隔壁部４００の４個の辺４１０、４１０’４２０、４２０’のうち、上下に配置される第１辺４１０、４１０’には左側アクチュエータ２００方向に折り曲げられる折曲部４１２、４１２’が形成される。
【００５６】
言い換えると、左側領域（Ｌ）を囲む４個の辺のうち、上下の２つの辺は水平方向に対して一定の傾斜角を有するように内側に進行する２つの直線隔壁部で構成され、２つの直線隔壁部が合う地点で折曲部４１２を形成する。
【００５７】
勿論、このような折曲部は必ず直線が合って折り曲げられる形態である必要はないし、曲線形態のラウンド折曲部形態でありうる。
【００５８】
また、左側アクチュエータ２００方向に突出する１以上の突出拘束部４２２は、第１辺と垂直である２個の第２辺４２０、４２０’の中に配置され得る。２個の突出拘束部が互いに垂直方向（通常の視認方向を考慮するとき）に離されて第２辺の各々に配置される例は、図２に示されるが、本開示の例はこれに限定されない。
【００５９】
また、突出拘束部４２２は垂直方向に延びる第２辺４２０、４２０’の一定位置で水平方向に突出延長されて形成できる。
【００６０】
折曲部４１２、４１２’及び突出拘束部４２２、４２２’は、アクチュエータで発生した音波のうち、進行波と音分離隔壁部での反射波との間の干渉により発生する定在波により音圧が減少する現象を解決するためのものであって、その原理は、以下の図３ａ〜図４ｂでより詳細に説明する。
【００６１】
一方、図２では左側領域のみを説明したが、右側領域もまた左右対称に同一構成を有することができる。
【００６２】
便宜上、本明細書で横方向または水平方向は表示装置の長辺方向を意味し、縦方向または垂直方向は表示装置の短辺方向を意味する。
【００６３】
一方、音分離隔壁部４００の第１辺４１０、４１０’に形成される折曲部の先端位置は対応する音響出力領域の内部に配置される音響発生アクチュエータの中心に向かうことが好ましい。
【００６４】
本実施形態による音分離隔壁部４００は、対応する音響出力領域の内部で発生した音響が他の音響出力領域に伝達されることを遮断する機能をする拘束部材であってもよい。（例えば、音分離隔壁部４００はバッフルとしての役割を持ってもよい。）音分離隔壁部４００は、一定の高さ（厚さ）と幅を有するポリウレタン（ＰＵ）もしくはポリオレフィン（ＰＯ）、または他の好適な材質に由来する両面テープまたは一面テープを用いて構成することができ、一定程度圧縮できる弾性を有することができる。ある例では、音分離隔壁部４００は１つの材質から形成されてもよく、他の例では、音分離隔壁部４００は分離した材質から形成されてもよい。
【００６５】
このような音分離隔壁部４００は、フォームパッド（Foam Pad）、拘束部材など、他の用語として表現されることもできる。
【００６６】
したがって、図２ａ及び図２ｂのような構造の表示装置を用いると、左側アクチュエータ２００と右側アクチュエータ２００’に各々相異する電流を印加して左右側ステレオ音響を発生させ、音分離隔壁部により左右側音響を分離させることによって、優れるステレオ音響を出力できるようになる。
【００６７】
以下、本実施例による表示装置の他の要素を詳述する。
【００６８】
図５ａ、図５ｂ等でより詳細に説明するが、本実施形態による音響発生アクチュエータ２００、２００’は、マグネットと、マグネットを支持するプレートと、プレートの中央領域に突出するように形成されるセンターポールと、前記センターポールの周囲を囲むように配置され、音響発生用電流が印加されるコイルが巻かれたボビンとを含み、前記ボビンの先端部が前記表示パネルの一面に接触するように配置される。しかし、このような詳細な構造は単なる典型例であり、様々な他の均等な構成が本開示の実施例のために使われるアクチュエータを実装するために使われ得る。
【００６９】
図２ｂに示すように、表示装置は表示パネルの後面または側面のうちの１つ以上を支持する後面支持部を含むことができ、各アクチュエータのプレートはその支持構造に固定される。
【００７０】
後面支持部は表示パネルの後面に配置されるカバーボトム３００を含み、カバーボトムと結合されて、表示パネルの側面を囲み、表示パネルの一側縁部を収容して支持するミドルキャビネット５００をさらに含むことができる。
【００７１】
後面支持部を構成するカバーボトムは、表示装置の後面の全体に亘って延びる金属またはプラスチック材質の板状部材でありうる。
【００７２】
即ち、本実施形態による表示装置は後面支持構造としてカバーボトム３００をさらに含み、カバーボトム３００はミドルキャビネット５００と結合されて表示パネル１００の後方を支持する機能と、本実施形態によるアクチュエータを固定する機能を実行することができる。
【００７３】
この際、カバーボトム３００はその用語に限定されるものではなく、プレートボトム（Plate Bottom）、バックカバー（Back Cover）、ベースフレーム（Base Frame）、メタルフレーム（Metal Frame）、メタルシャーシ（Metal Chassis）、シャーシベース（Chassis Base）、ｍ−シャーシなど、他の表現で使われることができ、表示パネルを支持する支持体であって、表示装置の後方基底部に配置される全ての形態のフレームまたは板状構造物を含む概念として理解されるべきである。しかし、前記支持構造は追加的部品を含むことができ、複数の部品を含むことができ、表示装置の後部全てを覆う必要はない。さらに、音響発生アクチュエータは直接的または間接的に前記支持構造に固定され得る。
【００７４】
図３ａ及び図３ｂは音分離隔壁部が直線の場合の定在波による音圧減少現象を説明するための図であり、図４ａ及び図４ｂは本実施形態により音分離隔壁部を構成する１つ以上の辺に折曲部を形成する場合の音響出力特性を説明する図である。
【００７５】
図３ａのように、各アクチュエータ２０、２０’により表示パネル１０が振動することによって発生する音波はアクチュエータ２０、２０’の中央から放射状に広がりながら進行し、このような音波を便宜上、進行波（Ａ）と表現する。
【００７６】
この際、進行する音波が音分離隔壁部４０の一辺に届くと、その音波は音分離隔壁部４０で反射されて反対方向に進行する反射波Ａ’を形成する。
【００７７】
このような反射波は進行波と重畳及び干渉されて、進行できずに一定の位置に停滞する、いわゆる定在波（standing wave）と呼ばれる重畳した音波を形成する。このような定在波により音圧が減少して音響出力特性が悪くなることがある。
【００７８】
即ち、図３ａに示すように、アクチュエータからの進行波Ａと音分離隔壁部４０の一辺で反射された反射波Ａ’により定在波が発生し、それによって特定の周波数帯域で音圧が減少して音響出力特性が悪くなることがある。
【００７９】
このような現象は、特にアクチュエータと音分離隔壁部との間の距離が最も短い位置、即ち図３ａの、水平及び垂直の各方向におけるアクチュエータと音分離隔壁部の各辺との間の位置で、特に支配的である。
【００８０】
このような定在波による影響によって、図３ｂの円で表示した部分のように、特定周波数帯域（約１ｋＨｚ付近）で音圧が不安定であるか、または減少することを確認した。
【００８１】
一方、図４ａのように本実施形態による折曲部４１２を形成すれば、図３ａのようにアクチュエータの垂直方向に向かう進行波Ｂが左右に斜めに反射（反射波Ｂ’）されることによって、進行波（Ｂ）と反射波（Ｂ’）との重畳による定在波形成が減少する。
【００８２】
したがって、前述した定在波による音圧減少現象が改善できる。
【００８３】
また、前述した音分離隔壁部４００の第１辺４１０が斜めに形成されるため、音響出力領域の隅部分でアクチュエータから第１辺の縁に向かう進行波Ｄの反射波Ｄ’と他の進行波Ｅが重畳または干渉されて更に他の定在波が発生する可能性がある。
【００８４】
この際、第２辺４２０に形成された突出拘束部４２２が反射波Ｄ’を遮断することによって、進行波Ｅとの干渉による定在波の発生をさらに抑制することができる。
【００８５】
図４ｂは図４ａのような本実施形態が適用された場合の音響出力特性を図示したものであって、図３ｂと比較する時、特定周波数帯域（１ｋＨｚ付近）で音圧が相対的に増加するだけでなく、同一周波数帯での音圧の均一性が向上することを確認することができる。
【００８６】
結果的に、本実施形態によれば、音分離隔壁部の４個の辺のうち、強い音波が到着する第１辺にアクチュエータ方向に向かう折曲部を形成し、第１辺と垂直な第２辺の特定の位置に突出拘束部を配置することによって、定在波による音圧減少現象を減少できるようになる。
【００８７】
一方、折曲部と突出拘束部を含む辺と、折曲部及び突出拘束部の位置及び大きさなどは音響出力領域の形状とアクチュエータの配置などと関連しており、これに対しては図１０から図１４を参考しつつ以下でより詳細に説明する。
【００８８】
左側音響発生アクチュエータ２００は、永久磁石と、前記磁石を支持するプレート２１０、２１０’と、プレートの中央領域に突出するセンターポール２３０と、前記センターポールの周囲を囲むように配置されるボビン２５と、前記ボビンの外側部分の周囲に巻きつけられ、音響発生用電流が印加されるコイル２６０とを含む。
【００８９】
図５ａ及び図５ｂは、本実施形態に使用できる２つタイプの音響発生アクチュエータの断面図である。
【００９０】
本実施形態に使われる音響発生アクチュエータまたはアクチュエータ２００、２００’は同一な形態を有することができ、以下では便宜上、左側アクチュエータを代表して説明するが、残りのアクチュエータにも適用できる。
【００９１】
左側アクチュエータ２００は、永久磁石であるマグネット２２０と、そのマグネットを支持するプレート２１０、２１０’と、プレートの中央領域に突出するセンターポール２３０と、前記センターポール２３０の周囲に囲むように配置されるボビン２５０と、ボビンの外郭に巻き付けられて音響発生のための電流が印加されるコイル２６０を含んで構成できる。
【００９２】
一方、本実施形態に使われる音響発生アクチュエータは、マグネットがコイルの外側に配置される第１の例の構造、またはマグネットがコイルの内側に配置される第２の例の構造を含むことができる。
【００９３】
図５ａはマグネットがコイルの外側に配置される第１構造であって、ダイナミックタイプまたは外磁型と表現できる。
【００９４】
このような第１構造による音響発生アクチュエータ２００は、下部プレート２１０がカバーボトム３００に形成される支持孔３１０に固定され、下部プレートの外郭に環状の永久磁石であるマグネット２２０が配置される。
【００９５】
マグネット２２０の上部には上部プレート２１０’が配置され、上部プレートの外郭には上部プレートから突出するように形成される外部フレーム２４０が配置される。
【００９６】
一方、下部プレート２１０の中央領域にはセンターポール２３０が突出して配置され、センターポール２３０の周囲を囲むボビン２５０が配置される。
【００９７】
ボビン２５０の下側部の周囲にはコイル２６０が巻き付けられており、このコイルに音響発生用電流が印加される。
【００９８】
一方、ボビンの上側部と外部フレーム２４０との間にはダンパ２７０が配置できる。
【００９９】
下部プレート２１０及び上部プレート２１０’は、マグネット２２０を支持しながら音響発生アクチュエータ２００をカバーボトム３００に固定させるように構成され、下部プレート２１０は、図５ａに示すように円形に備えられる。そして、前記下部プレート２１０上にリング形状のマグネット２２０が備えられ、マグネット２２０上に上部プレート２１０’が備えられる。
【０１００】
加えて、下部プレート２１０及び上部プレート２１０’がカバーボトム３００に結合されることによって、下部プレート２１０と上部プレート２１０’との間に位置したマグネット２２０が固定され支持され得る。
【０１０１】
プレートは、鉄（Ｆｅ）のように磁性を有する物質から形成することができる。プレートはその用語に限定されるものではなく、ヨークなど、他の用語で表現できる。
【０１０２】
一方、センターポール２３０と下部プレート２１０とは一体形成することができる。
【０１０３】
ボビン２５０は紙またはアルミニウムシートなどで形成される環状構造物であって、ボビンの下側の一定領域の周囲にコイル２６０が巻き付けられる。このようなボビン２５０とコイル２６０とを合せてボイスコイルと表現することができる。
【０１０４】
コイル２６０に電流が印加されれば、コイル２６０の周囲に磁場が形成され、マグネット２２０により形成される外部磁場があるため、フレミングの法則に従って、ボビンの全体がセンターポールによりガイドされながら上側に移動する。
【０１０５】
一方、ボビン２５０の先端部は表示パネル１００の後面に接触しているため、電流印加及び非印加状態によって表示パネルを振動させるようになり、このような振動により音波が発生する。
【０１０６】
マグネット２２０はバリウムフェライトなど、焼結磁石を用いることができ、材質は酸化第２鉄（Ｆｅ２Ｏ３）、炭酸バリウム（ＢａＣＯ３）、磁力成分が改善されたストロンチウムフェライト、アルミニウム（Ａｌ）、ニッケル（Ｎｉ）、コバルト（Ｃｏ）の合金鋳造磁石などが使用できるが、それに限定されるものではない。
【０１０７】
一方、ボビン２５０の上側の一部と外部フレーム２４０との間にはダンパ２７０が配置され、ダンパ２７０は蛇腹構造を有し、ボビンの上下運動によって収縮及び弛緩しながら前記ボビンの上下振動を調節する。即ち、ダンパ２７０がボビン２５０と外部フレーム２４０に各々連結されているので、ボビン２５０の上下振動はダンパ２７０の復原力により制限される。詳細には、ボビン２５０が一定高さ以上に振動するか、または一定高さ以下に振動する場合、ダンパ２７０の復原力によりボビンが原位置に復帰することができる。このようなダンパ２７０はエッジなど、他の用語で表現できる。
【０１０８】
一方、図５ｂはマグネットがコイルの内側に配置される第２構造であって、マイクロタイプまたは内磁型と表現できる。
【０１０９】
このような第２構造による音響発生アクチュエータは、下部プレート２１０がカバーボトム３００に形成される支持孔３１０に固定され、下部プレートの中央領域にマグネット２２０が配置され、マグネット２２０の上部にセンターポール２３０が延長するように形成される。
【０１１０】
上部プレート２１０’は下部プレート２１０の外郭の周辺に突出するように形成され、上部プレート２１０’の外側には外部フレーム２４０が配置される。
【０１１１】
マグネット２２０とセンターポール２３０の周囲を囲むようにボビン２５０が配置され、ボビンの外郭にはコイル２６０が巻き付けられる。
【０１１２】
また、外部フレーム２４０とボビン２５０との間にはダンパ２７０が配置される。
【０１１３】
このような第２構造の音響発生アクチュエータは、マグネットが外側に配置される第１構造に比べて漏洩磁束が小さく、全体的な大きさを小さくすることができる。
【０１１４】
第１の例の構造または第２の例の構造によるアクチュエータは、本実施形態の例においてが使われることができ、便宜上、以下では第１構造による構造を参照して説明する。
【０１１５】
また、本実施形態の例による表示装置に使われる音響発生アクチュエータは、図５ａ及び図５ｂに図示した形態に限定されるものではなく、電流印加によって表示パネルを上下に振動させて音響を発生できる限り、異なる種類のアクチュエータが使われてもよい。
【０１１６】
図６ａ及び図６ｂは、本開示の実施形態による音響発生アクチュエータが表示パネルを振動させて音響を発生する状態を図示する。
【０１１７】
図６ａは電流が印加された状態であって、マグネット２２０の下面と連結されたセンターポール２３０がＮ極となり、マグネット２２０の上面と連結された上部プレート２１０’がＳ極となって、コイル２６０の間に外部磁場が形成される。
【０１１８】
この状態で音響発生用電流がコイル２６０に印加されれば、コイル２６０の周囲に印加磁場が生成されるが、印加磁場と外部磁場によりボビン２５０を上側に移動する力が発生する。
【０１１９】
したがって、図６ａのようにボビン２５０が上側（矢印の方向）に移動し、ボビン２５０の先端部に接触している表示パネル１００が上側に振動する。
【０１２０】
この状態で電流印加が中止されるか、または反対方向の電流が印加されれば、図６ｂのように、類似の原理によってボビン２５０を下側に移動させる力が発生し、したがって、表示パネル１００が下側（矢印の方向）に振動する。
【０１２１】
このように、コイルへの電流印加方向と大きさによって、表示パネルが上下に振動するようになり、このような振動により音波が発生する。
【０１２２】
図７ａ及び図７ｂは、本開示の実施形態による音響発生アクチュエータと表示装置の後面支持部であるカバーボトムとの結合状態の一例を図示し、図８ａ及び図８ｂは、音響発生アクチュエータとカバーボトムとの結合構造に対する他の実施形態を図示する。
【０１２３】
本実施形態による音響発生アクチュエータ２００は、表示装置の支持構造であるカバーボトムまたはバックカバー上に形成された支持孔に挿入され支持されることができ、図７ａ乃至図８ｂは種々の支持構造を図示する。
【０１２４】
図７ａ及び図７ｂの支持構造では、カバーボトム３００には支持孔３１０が貫通するように形成され、音響発生アクチュエータ２００の下部プレート２１０、マグネット２２０、及び上部プレート２１０’のうちの少なくとも１つがその支持孔３１０の内部に収容されるように挿入される。
【０１２５】
下部プレート２１０の下面には下部プレートの外側に延長するように延長部２１２がさらに形成され、延長部２１２がカバーボトム３１０の底面に固定されることによって、音響発生アクチュエータ２００をカバーボトム３００に取り付けることができる。
【０１２６】
このように、音響発生アクチュエータ２００をカバーボトム３００に形成された支持孔３１０に挿入され、固定されれば、表示パネル１００とカバーボトム３００との間の距離を減少させることができるので、表示装置の厚さを小さくする。
【０１２７】
即ち、表示パネル１００とカバーボトム３００との間には表示パネル１００が振動することができる空間である第１エアーギャップ空間及び第２エアーギャップ空間が存在しなければならない。音響発生アクチュエータ２００をカバーボトムの支持孔３１０に挿入／固定される形態に構成すれば、表示パネル１００とカバーボトムとの間に配置される音響発生アクチュエータ２００の高さを小さくすることができるので、エアーギャップを減少させることができる。
【０１２８】
図７ｂは、音響発生アクチュエータ２００をカバーボトム３００に固定するに当たって、カバーボトム３００の後面にねじ孔を形成し、下部プレート２１０の延長部２１２に形成された貫通孔を通じてボルト３２０またはねじをカバーボトムのねじ孔に締結して、音響発生アクチュエータ２００を固定する構造を図示する。
【０１２９】
一方、図８ａは単純なねじ結合形態の代わりに、カバーボトム３００と下部プレート２１０の延長部２１２との間に一定の距離を確保することができるペムナット（Pem Nut）３３０、またはセルフクリンチングナット（self clinching nut）を配置して、音響発生アクチュエータ２００をボルト３２０により固定する例を図示する。
【０１３０】
図８ａのように、ペムナット（Pem Nut）３３０、またはセルフクリンチングナット（self clinching nut）を用いると、音響発生アクチュエータ２００とカバーボトム３００との間に一定の空間が確保されるので、アクチュエータ２００の振動がカバーボトム３００に伝達されることを最小化することができる。
【０１３１】
また、図８ｂでは、アクチュエータ２００の下部プレート２１０の延長部２１２とカバーボトム３００との間に両面テープ（Double Side Tape）のような接着部材３４０を配置して接着固定する方式である。
【０１３２】
図８ｂのように、接着部材３４０を用いる場合、接着部材３４０の弾性と厚さを適切に調節すれば、接着部材３４０が一種のダンパの役割をするようになり、したがって、アクチュエータ２００の振動がカバーボトム３００に伝達されることを最小化することができる。
【０１３３】
図７ａ〜図８ｂのように、表示パネル１００と接触して表示パネル１００を直接振動させる音響発生アクチュエータ２００をカバーボトム３００に形成された支持孔３１０に挿入し固定する構成例では、アクチュエータ２００が表示装置１００の内部に完全に収容される場合に比べて表示装置の厚さを減少させることができる効果を有することができる。
【０１３４】
図９は、本実施形態に使われる音分離隔壁部の細部構造を図示する。
【０１３５】
図９に示すように、本実施形態に使われる音分離隔壁部は各々の音響出力領域にエアーギャップ空間を形成するために使われる。
【０１３６】
即ち、表示パネルが振動して音波を発生させるために、表示パネルの一側が表示パネルの支持構造に接合されなければならない。例えば、発生した音響が表示装置の側面などを通じて外部に漏洩するのを防がなくてはならないので、このような目的のために、本実施形態による表示装置では表示パネルの下面と支持構造との間に一定の音分離隔壁部４００を形成する。
【０１３７】
より詳細に、音響発生アクチュエータ毎にその周囲の一定の区画（即ち、エアーギャップ空間）である音響出力領域が各々定義され、その音響出力領域の縁部には表示パネルの下面とカバーボトムの上面との間で音分離隔壁部が配置されるものである。
【０１３８】
この際、音分離隔壁部４００は表示パネルの底面と表示装置の支持構造の上面との間に接着される両面テープのような接着部材４３０と接着部材の外郭にさらに配置されるシーリング部４４０を含んで構成できる。
【０１３９】
接着部材４３０はまたカバーボトム３００の上面に接着される第１接着部４３２と、表示パネルの下面に接着される第２接着部４３６、及び両接着部の間の本体部４３４を含んで構成できる。
【０１４０】
本体部４３４は一定の弾性を有して表示パネル１００の付着時に圧縮できる。
【０１４１】
また、音分離隔壁部４００を構成するシーリング部４４０は、接着部材４３０の外郭にさらに配置され、接着部材４３０の厚さまたは高さより大きい厚さまたは高さを有することができる。
【０１４２】
シーリング部４４０は弾性の大きいゴムなどの材質で構成されることができ、図９に示すように、接着部材４３０の厚さ（ｔ１）より大きい厚さｔ２を有することができる。
【０１４３】
即ち、図９のように、カバーボトムの上面に厚さｔ１を有する両面テープである接着部材４３０の第１接着部４３２を接着配置し、接着部材の外郭にｔ１より大きい厚さを有する弾性材料のシーリング部４４０を配置する。
【０１４４】
その状態で、表示パネル１００を接着部材４３０の第２接着部４３６に付着させれば、より大きい厚さを有するシーリング部４４０が一定程度圧迫されながら表示パネル１００とカバーボトム３００互いにが接着される。
【０１４５】
このように、音分離隔壁部４００が接着部材４３０及びシーリング部４４０の二重構造を有することによって、各アクチュエータの周囲の音響出力領域のエアーギャップ空間７００、７００’の封入性がさらに向上できる。
【０１４６】
本実施形態で、エアーギャップ空間の厚さ、即ちエアーギャップ空間での表示パネル１００とカバーボトム３００との間の距離は約０．８~２．５ｍｍに調整することができるが、それに限定されるものではなく、表示パネルの振動程度などによって変わり得る。
【０１４７】
図１０〜図１１Ｃは、音響出力領域が左側領域及び右側領域を含む２チャンネルシステムで、各領域の形態と音響発生アクチュエータの位置及び形態に従う折曲部及び追加拘束部の配置形態を多様に示す図である。
【０１４８】
図１０では、便宜上、音分離隔壁部を構成する各辺を単一の実線で表示する。
【０１４９】
前述したように、音圧減少を引き起こす定在波は進行波と反射波の大きさが大きい地点でたくさん発生する。
【０１５０】
したがって、本実施形態による折曲部は音響発生アクチュエータから到達する音波が最も大きい位置に配置されることが好ましく、以下の図１０及び図１１では２チャンネルシステムで折曲部及び突出拘束部が配置される種々の形態を例示する。
【０１５１】
まず、図１０は左側領域及び右側領域が横（Ｈ）、縦（Ｖ）の長さが同一な正四角形形態であり、アクチュエータ２００、２００’が各領域の真ん中に配置される場合である。
【０１５２】
この場合には、左側領域（Ｌ）のように左側領域を定義する音分離隔壁部の４個の辺のうち、上下にある２つの第１辺４１０に折曲部４１２を形成し、第１辺４１０に対して垂直な左右の２つの第２辺４２０に各々２つずつの突出拘束部４２２を配置することができる。
【０１５３】
勿論、図１０の場合には完全対称であるので、右側領域（Ｒ）のように左右辺を折曲部４１２が形成された第１辺４１０とし、上下辺である第２辺４２０に突出拘束部４２２を形成してもよい。
【０１５４】
勿論、第２辺４２０に突出拘束部４２２は形成されないこともある。
【０１５５】
この例では、４個の辺全てに折曲部を形成することもできるが、そのような場合、音響出力領域の面積が減少し、結果的に振動板の面積が減少して、音圧が全体的に減少したり、音響周波数が上昇したりすることがある。
【０１５６】
したがって、図１０のように、４個の辺のうち、２つの第１辺には折曲部４１２を形成し、残りの２つの辺には突出拘束部４２２を配置することによって、振動板面積減少を低下させながらも定在波による問題点を解決するようにする。
【０１５７】
一方、図１０のような構造によれば、各アクチュエータが対応する音響出力領域の水平方向（つまり左右方向）及び／又は垂直方向（つまり上下方向）の中心に配置されるため、対応する領域の表示パネル部分の均一な振動が可能であり、したがって安定した音響出力及び表示パネルの耐久性及び信頼性を確保することができる。
【０１５８】
図１１ａは、アクチュエータの配置または出力特性が非対称の場合であって、この時には第１辺の選択及びそれに形成される折曲部の位置が、アクチュエータの配置またはアクチュエータの出力特性によって設定できる。
【０１５９】
まず、図１１ａのように、音響出力領域の横及び縦の大きさが異なる場合である。
【０１６０】
いくつかの形態では、音圧減少を引き起こす定在波は進行波と反射波の大きさが大きい地点でたくさん発生するため、いくつかの例では、横及び縦のうち、長辺の中央部分で定在波の発生が大きくなる。
【０１６１】
即ち、図１１ａのように、左側領域の横（Ｈ）より縦（Ｖ）の長さがより長い場合には、垂直な左右辺に到達する音波Ｆの大きさが水平な上下辺に到達する音波Ｇの大きさより大きい。
【０１６２】
したがって、音響出力領域の横及び縦のうち、長辺である左右辺を第１辺４１０に定義した後、その第１辺に折曲部４１２を形成する。
【０１６３】
勿論、選択的に横及び縦のうち、短辺には１つ以上の突出拘束部４２２を配置することができる。
【０１６４】
しかし、実施形態はこれに限定されず、ここに詳述される実施形態に適用し得る他の例においては、折曲部４１２は左右辺のうちの短辺に形成されてもよいし、１以上の突出拘束部４２２は選択的に左右辺のうちの長辺に配置されてもよい。
【０１６５】
図１１ｂは、音響発生アクチュエータが音響出力領域内に非対称位置に配置される場合である。
【０１６６】
このような場合、折曲部４１２が形成される第１辺４１０は音響出力アクチュエータと最も近い１つの辺でありうる。
【０１６７】
換言すると、図１１ｂのように、音響出力領域の左右中心点（Ｐ）を基準に左側に偏向した位置Ｐ’にアクチュエータが配置される場合には、音分離隔壁部の４個の辺のうち、アクチュエータと最も近い左側垂直辺を第１辺４１０として選択して、その中央に折曲部４１２を配置するものである。
【０１６８】
この場合、上下辺である第２辺４２０、４２０’には１以上の突出拘束部４２２、４２２’を配置することができる。
【０１６９】
この際、第１辺に対向する右側垂直辺４１０’には定在波の形成が無視できるため、右側垂直辺には折曲部を形成しないことがあり、上下水平辺の右側にも突出拘束部を形成しないことがある。
【０１７０】
一方、音響発生アクチュエータにより発生する音波が非対称特性を有する場合には、第１辺は音波のうち、強い音波が向かう１つまたは２つの辺でありうる。
【０１７１】
図１１ｃはこのような場合を図示したものであって、一定以上の音圧を発生させるために音響出力領域内に２つ以上のアクチュエータを隣接して配置するか、または楕円のような非円形ボビン形状を有するアクチュエータを配置することができる。
【０１７２】
より具体的に、図１１ｃの左側図面は音響出力領域内に２つのアクチュエータ２００−１、２００−２を水平に隣接配置した場合であって、このような場合には上下に進行する音波Ｆが左右に進行する音波Ｇより振幅がより大きい。
【０１７３】
したがって、この場合には強い音波Ｆが向かう上下の水平辺を第１辺４１０として定義し、それに折曲部４１２を形成する。
【０１７４】
この際、上下の第１辺に形成される２つの折曲部４１２を連結した線は２つのアクチュエータ２００−１、２００−２の中央位置を通過するように配置できる。
【０１７５】
即ち、折曲部４１２の先端位置は２つのアクチュエータ２００−１、２００−２の間の中点に向けられる。
【０１７６】
このように構成することによって、２つのアクチュエータで発生した進行波のうち、第１辺に向かう進行波を左右に分散されるように反射させることによって、定在波の発生を減少させることができる。
【０１７７】
図１１ｃの右側図面は円形アクチュエータの代替として、楕円形などの非円形のアクチュエータの場合である。
【０１７８】
図５ａ及び図５ｂなどで説明したように、アクチュエータ２００のボビンは一般的には円形の形状を有するが、アクチュエータの出力を高めるために楕円形ボビンを使うこともできる。
【０１７９】
このように、アクチュエータが楕円形状の場合には、アクチュエータの楕円短軸方向に進行する音波が強いので、図１１ｃのように、楕円の長軸方向と平行な２つの辺を第１辺４１０として定義し、その第１辺に折曲部４１２を形成する。
【０１８０】
この場合、折曲部４１２の先端部分は非円形アクチュエータ２００の中心方向に向かうように形成することができる。
【０１８１】
図１２は、本実施形態による、折曲部を含む音分離隔壁部の第１辺の傾斜角度と追加拘束部材の位置及び長さの関係を図示する。
【０１８２】
図１２のように、折曲部４１２が形成される音響分離隔壁部の第１辺４１０は表示パネルの水平方向または垂直方向と一定の傾斜角θを有するように内側に延びる２つの直線部で構成され、２つの直線部が合う地点が折曲部４１２を形成する。
【０１８３】
勿論、第１辺または折曲部は直線形態に形成されることに限定されるものではなく、曲線形態またはラウンド形態でありうる。
【０１８４】
この際、折曲部の傾斜角θが大きくなるほど反射波の分散特性が増加して定在波生成抑制効果が良くなるが、傾斜角が大きくなるほど音響出力領域、即ち振動板の大きさが減少して音圧が減少し、音波の周波数が変動できる。
【０１８５】
したがって、折曲部４１２の傾斜角θは定在波の抑制必要量などによって約１０〜３０度に可変して設定できる。
【０１８６】
例えば、音響出力領域が低音のためのものであるか、またはアクチュエータの出力が大きい場合には、折曲部４１２の傾斜角θを大きくし、反対に、音響出力領域の中高音域のためのものであるか、またはアクチュエータの出力が小さな場合には、折曲部４１２の傾斜角θを小さく設定することができる。
【０１８７】
また、第２辺４２０に形成される突出拘束部４２２は第１長さｄ１を有し、第２辺４２０の一端から第２距離ｄ２だけ離れて配置される。
【０１８８】
この際、突出拘束部４２２の第１長さｄ１が大きいほど定在波抑制効果が増加するが、振動板の振動特性を減少させることができるため、定在波の発生程度や振動板の必要面積などに従って突出拘束部４２２の第１長さｄ１が選択できる。
【０１８９】
例えば、定在波がたくさん発生する場合には、突出拘束部４２２の第１長さｄ１を大きくし、定在波が多くないか、または振動板の面積を大きく維持しなければならない場合には、突出拘束部４２２の第１長さｄ１を小さく設定することができる。
【０１９０】
また、突出拘束部４２２は第２辺に２つ形成され、かつアクチュエータの位置を基準に対称的に配置できる。
【０１９１】
即ち、図１２のように、突出拘束部４２２のうちの１つが第２辺の一端で第２距離ｄ２だけ離隔して配置される場合、残りの突出拘束部は第２辺の他端から同一な第２距離ｄ２だけ離隔するように配置される。
【０１９２】
また、突出拘束部４２２は第１長さｄ１及び突出拘束部の隅から隔離距離（第２距離）ｄ２は第１辺に形成される折曲部４１２の傾斜角θに比例するように設定できる。
【０１９３】
即ち、第１辺４１０に形成される折曲部４１２の傾斜角θが大きい場合には、折曲部４１２から反射されて第２辺に向かう反射波の強度が大きくなる。したがって、突出拘束部４２２の第１長さｄ１または第２辺４２０の一端からの突出拘束部４２２の隔離距離（第２距離）ｄ２を大きくして第２辺４２０の周囲での定在波形成を抑制することができる。
【０１９４】
図１３及び図１４は本開示の他の実施形態による表示装置の平面図であって、２．１チャンネルシステムを例示する。
【０１９５】
即ち、図１３及び図１４は、音響出力領域が左右で中高音を出力するための左側領域及び右側領域と、低音を出力するための中央領域を含む２．１チャンネルシステムであって、この際、各領域の形態と音響発生アクチュエータの位置及び形態に従う折曲部及び追加拘束部の配置形態を多様に示す図である。
【０１９６】
図１３の実施形態では、音響出力領域が中高音域帯の音響を出力するために表示パネルの左側及び右側に配置される左側領域（Ｌ）及び右側領域（Ｒ）と、低音域帯音響を出力するために表示パネルの中央に配置される中央領域（Ｃ）を含む。
【０１９７】
図１３に示すように、中央アクチュエータ１２００が中央領域（Ｃ）の表示パネルを直接振動させて低音域帯音響を発生させ、左側及び右側アクチュエータ１２００’、１２００’’は左側領域（Ｌ）及び右側領域（Ｒ）の表示パネル部分を直接振動させて低音域帯の音響を発生させる。
【０１９８】
即ち、本実施形態によれば、中央ウーハーでは低音出力が、左右側ステレオ音響出力が可能な、いわゆる２．１チャンネル形態の音響出力特性を有することができる。
【０１９９】
本明細書では、低音域帯は３００Ｈｚ以下、中音域帯は３００〜１．５ｋＨｚ、高音域帯は１．５ｋＨｚ以上に定義するが、それに限定されるものではない。
【０２００】
一方、本実施形態では、中央アクチュエータ１２００の出力が左右側アクチュエータ１２００’、１２００’’の出力より大きくする第１の構成例と、中央領域（Ｃ）の面積が左側領域（Ｌ）及び右側領域（Ｒ）の面積より大きく形成する第２の構成例のうち、１つを採択することができる。
【０２０１】
このように構成することによって、低音域帯音響が中高音域帯音響より大きくなって低音特性が向上する。
【０２０２】
例えば、中央領域（Ｃ）の面積を左右側領域の面積より大きくすると、同一なアクチュエータ出力を有しても低音の振動板面積が大きくなるので、低音の安定した出力が可能になる。
【０２０３】
一方、中央領域（Ｃ）を定義する音分離隔壁部の４個の辺のうち、１つ以上の第１辺１４１０には中央領域内に配置される中央アクチュエータ１２００方向に折り曲げられる折曲部１４１２が配置される。
【０２０４】
また、第１辺１４１０に垂直な第２辺１４２０のうちの１つ以上には前記中央アクチュエータ１２００方向に突出する突出拘束部１４２２が１つ以上配置できる。
【０２０５】
また、左側領域（Ｌ）または右側領域（Ｒ）を定義する音分離隔壁部の４個の辺のうち、中央領域の音分離隔壁部と共有された辺１４１０を除外した３個の辺のうちの１つ以上には左側領域または右側領域に配置される左側アクチュエータ１２００’または右側アクチュエータ１２００’’方向に折り曲げられた折曲部が配置できる。
【０２０６】
換言すると、図１３の左側領域のように、左側領域の左側垂直辺は中央領域と共有されて中央領域（Ｃ）と左側領域（Ｌ）とを分離する機能をし、その左側垂直辺に垂直な左側領域の上下辺１４３０に折曲部１４３２を形成し、かつ折曲部１４３２は左側アクチュエータ１２００’の中心方向に向かうように形成できる。
【０２０７】
また、左側領域の右側垂直辺１４４０には１つ以上の突出拘束部１４４２が形成できる。
【０２０８】
勿論、以下で説明するように、中央領域の低音に比べて左右側領域の中高音は音圧が低いので、定在波による影響が大きくないことがあるので、図１３の右側領域のように左右側領域には折曲部及び突出拘束部を形成しないこともある。
【０２０９】
例えば、図１３のような構成では、低音を担当する中央アクチュエータ１２００の出力がより大きいため、中央領域で発生する定在波が最も大きくなる。
【０２１０】
即ち、左側領域または右側領域でも前記のような定在波による音の劣化が発生するが、中央領域の低音域帯の音波は波長が長く、振幅が大きいため、定在波による影響をより大きく受ける。
【０２１１】
ここに、図１３のような構成を有することによって、低音領域での定在波による影響を最小化しながらも、低音とステレオ音響を同時に出力することができる。
【０２１２】
図１４は２．１チャンネルシステムの他の実施形態を図示するものであって、中央領域（Ｃ）の中央アクチュエータ１２００が水平に隣接配置される２つのサブ中央アクチュエータ１２００−１、１２００−２で構成され、左側領域の左側アクチュエータは垂直に離隔配置される２つのサブ左側アクチュエータ１２００’−１、１２００’−２で構成できる。
【０２１３】
この際、中央領域（Ｃ）の上下辺を第１辺１４１０として定義し、その第１辺に折曲部１４１２を形成し、かつ折曲部１４１２の先端位置は２つのサブ中央アクチュエータ１２００−１、１２００−２の間の中点に向かうように配置される。
【０２１４】
また、中央領域の左右辺である第２辺１４２０には中央アクチュエータ１２００方向に突出する突出拘束部１４２２を形成することができる。
【０２１５】
一方、左側領域の上下辺を第１辺１４１０’として定義し、その第１辺１４１０’に折曲部１４１２’を配置することができる。
【０２１６】
図１４のような構造では、サブ左側アクチュエータ１２００’−１、１２００’−２が左側領域の上下辺に隣接して配置されるため、上下辺での定在波の発生が大きくなることがある。したがって、図１４の左側領域のように左側領域の上下辺に折曲部１４１２’を形成することによって、左側領域での定在波の形成を最大限抑制する。
【０２１７】
図１４の右側領域のように単一の右側アクチュエータ１２００’’が配置される場合には、右側領域の左側垂直辺を第１辺１４１０’’として定義して、その第１辺１４１０’’のみに右側アクチュエータ方向に折り曲げられる折曲部１４１２’’を形成することができる。
【０２１８】
以上のように、本開示の実施形態によれば、表示パネルを直接振動させて音響を発生させ、かつ各々相異する音響を出力する多数の音響出力領域を定義するための音分離隔壁部を含むことによって、優れる音分離特性を有するパネル振動型音響発生表示装置を提供することができる効果がある。
【０２１９】
また、多数の音響出力領域を区画する音分離隔壁部のうち、１つ以上の第１辺に音響発生アクチュエータ方向に折り曲げられた折曲部を形成することによって、反射波と進行波の干渉によって発生する定在波による音圧減少を抑制することができる。
【０２２０】
また、前記折曲部に加えて、音分離隔壁部のうちの１つ以上の第２辺に１つ以上の突出拘束部を形成することによって、反射波と進行波の干渉によって発生する定在波による音圧減少をより減少させることができる。
【０２２１】
また、多数の音響出力領域として、左右ステレオ音響を出力するための左側領域及び右側領域を含む２チャンネルシステムと、それに加えて低音を出力するための中央領域をさらに含む２．１チャンネルシステムのうちの１つを採択し、かつ各領域の音分離隔壁部を構成する４個辺のうちの１つ以上には音響発生アクチュエータ方向に折り曲げられた折曲部を形成し、残りの辺のうちの１つ以上には突出拘束部を配置することによって、優れる音分離特性を有しながらも定在波による音圧減少を最小化することができる。
【０２２２】
結果的に、パネル振動によって２チャンネルまたは２．１チャンネルの音響出力が可能な表示装置において、優れる音分離特性を有しながらも定在波による音圧減少を抑制することによって、表示装置の音響装置を改善できる。
【０２２３】
本発明が属する技術分野で知識を有する者であれば、本開示の技術的思想または範囲から離れることなく、本開示に多様な修正及び変形をなすことが可能であることは明らかであろう。したがって、本開示の実施形態は、請求範囲及びそれと同等な範囲内であれば本開示の多様な修正及び変形を含むことを意図するものである。
【符号の説明】
【０２２４】
１００    表示パネル
２００    アクチュエータ
２１０、２１０’    上下部プレート
２２０    マグネット
２３０    センターポール
２４０    外部フレーム
２５０    ボビン
２６０    （ボイス）コイル
３００    カバーボトム
３１０    支持孔
４００    音分離隔壁部
４３０    接着部材
４４０    シーリング部
４１０、１４１０    第１辺
４２０、１４２０    第２辺
４１２、１４１２    折曲部
４２２、１４２２    突出拘束部
【図１】
2018093468.tif 000003
【図２ａ】
2018093468.tif 000004
【図２ｂ】
2018093468.tif 000005
【図３ａ】
2018093468.tif 000006
【図３ｂ】
2018093468.tif 000007
【図４ａ】
2018093468.tif 000008
【図４ｂ】
2018093468.tif 000009
【図５ａ】
2018093468.tif 000010
【図５ｂ】
2018093468.tif 000011
【図６ａ】
2018093468.tif 000012
【図６ｂ】
2018093468.tif 000013
【図７ａ】
2018093468.tif 000014
【図７ｂ】
2018093468.tif 000015
【図８ａ】
2018093468.tif 000016
【図８ｂ】
2018093468.tif 000017
【図９】
2018093468.tif 000018
【図１０】
2018093468.tif 000019
【図１１ａ】
2018093468.tif 000020
【図１１ｂ】
2018093468.tif 000021
【図１１ｃ】
2018093468.tif 000022
【図１２】
2018093468.tif 000023
【図１３】
2018093468.tif 000024
【図１４】
2018093468.tif 000025